(57)【要約】【課題】動画再生装置において、早送り再生及び巻き戻し再生時の音声を聞き取りやすくして、ユーザが視聴したい目的のシーンを素早く探し出す。【解決手段】ユーザが動画コンテンツの早送り再生操作を指示すると、システム制御部は、早送り映像信号を生成すると共に（Ｓ１）、再生位置をマークし、このマークの位置をメモリ部に記憶させ（Ｓ２）、このマークの位置から所定時間内の早送り区間内の音声信号のみを生成して（Ｓ３）、通常再生速度の音声信号と早送り映像信号とを出力部に出力する（Ｓ４）。所定時間が経過すると（Ｓ５でＹＥＳ）、システム制御部は、再度、その時点における動画コンテンツの再生位置をマークし、上記Ｓ２以降の処理を繰り返す。所定時間が経過していない場合は（Ｓ５でＮＯ）、システム制御部は、Ｓ４の処理を引き続き行う。【選択図】図３
2007150384.tif 000002
【特許請求の範囲】
【請求項１】
１つ以上の動画コンテンツの映像データと音声データとが記憶された記憶媒体から映像データと音声データとを読み取る読み取り手段と、
前記読み取り手段が読み取った映像データ及び音声データを基に、モニタ装置で前記動画コンテンツの通常再生を行うための映像信号及び音声信号を生成する再生信号生成手段と、
前記読み取り手段が読み取った映像データ及び音声データを基に、前記モニタ装置で前記動画コンテンツの早送り再生を行うための早送り映像信号を生成する早送り映像信号生成手段と、
前記読み取り手段が読み取った映像データ及び音声データを基に、前記モニタ装置で前記動画コンテンツの巻き戻し再生を行うための巻き戻し映像信号を生成する巻き戻し映像信号生成手段と、
通常再生、早送り再生、又は巻き戻し再生などの操作をするためにユーザにより操作される操作手段と、
前記読み取り手段と、前記再生信号生成手段と、前記早送り映像信号生成手段と、前記巻き戻し映像信号生成手段と、前記操作手段とを制御する制御手段とを備える動画再生装置において、
前記動画コンテンツの再生位置をマークするマーク位置設定手段と、
前記マークの位置を一時的に記憶するマーク設定メモリとをさらに備え、
前記制御手段は、
前記操作手段を用いてユーザにより前記動画コンテンツの早送り再生操作が指示されたときに、
前記早送り映像信号生成手段により早送り映像信号を生成して前記モニタ装置に出力すると共に、
前記早送り再生操作の開始時における前記動画コンテンツの再生位置を前記マーク位置設定手段を用いてマークして、該マークの位置を前記マーク設定メモリに記憶し、このマークの位置から所定時間内の早送り区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、該マークの位置を前記マーク設定メモリに記憶し、このマークの位置から所定時間内の早送り区間内の音声信号のみを前記再生信号生成手段により生成させて前記モニタ装置に出力する処理を繰り返し、
前記操作手段を用いてユーザにより前記動画コンテンツの巻き戻し再生操作が指示されたときに、
前記巻き戻し映像信号生成手段により巻き戻し映像信号を生成して前記モニタ装置に出力すると共に、
前記巻き戻し再生操作の終了時における前記動画コンテンツの再生位置を前記マーク位置設定手段を用いてマークして、該マークの位置を前記マーク設定メモリに記憶し、このマークの位置から所定時間内の巻き戻し区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、該マークの位置を前記マーク設定メモリに記憶し、このマークの位置から所定時間内の巻き戻し区間内の音声信号のみを前記再生信号生成手段により生成させて前記モニタ装置に出力する処理を繰り返すことを特徴とする動画再生装置。
【請求項２】
１つ以上の動画コンテンツの映像データと音声データとが記憶された記憶媒体から映像データと音声データとを読み取る読み取り手段と、
前記読み取り手段が読み取った映像データ及び音声データを基に、モニタ装置で前記動画コンテンツの通常再生を行うための映像信号及び音声信号を生成する再生信号生成手段と、
前記読み取り手段が読み取った映像データ及び音声データを基に、前記モニタ装置で前記動画コンテンツの早送り再生を行うための早送り映像信号を生成する早送り映像信号生成手段と、
通常再生、早送り再生などの操作をするためにユーザにより操作される操作手段と、
前記読み取り手段と、前記再生信号生成手段と、前記早送り映像信号生成手段と、前記操作手段とを制御する制御手段とを備える動画再生装置において、
前記動画コンテンツの再生位置をマークするマーク位置設定手段をさらに備え、
前記制御手段は、
前記操作手段を用いてユーザにより前記動画コンテンツの早送り再生操作が指示されたときに、
前記早送り映像信号生成手段により早送り映像信号を生成して前記モニタ装置に出力すると共に、
前記早送り再生操作の開始時における前記動画コンテンツの再生位置を前記マーク位置設定手段を用いてマークして、このマークの位置から所定時間内の早送り区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、このマークの位置から所定時間内の早送り区間内の音声信号のみを前記再生信号生成手段により生成させて前記モニタ装置に出力する処理を繰り返すことを特徴とする動画再生装置。
【請求項３】
前記読み取り手段が読み取った映像データ及び音声データを基に、前記モニタ装置で前記動画の巻き戻し再生を行うための巻き戻し映像信号を生成する巻き戻し映像信号生成手段をさらに備え、
前記制御手段は、
前記操作手段を用いてユーザにより前記動画コンテンツの巻き戻し再生操作が指示されたときに、
前記巻き戻し映像信号生成手段により巻き戻し映像信号を生成して前記モニタ装置に出力すると共に、
前記巻き戻し再生操作の終了時における前記動画コンテンツの再生位置を前記マーク位置設定手段を用いてマークして、このマークの位置から所定時間内の巻き戻し区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、このマークの位置から所定時間内の巻き戻し区間内の音声信号のみを前記再生信号生成手段により生成させて前記モニタ装置に出力する処理を繰り返すことを特徴とする請求項２に記載の動画再生装置。
【発明の詳細な説明】
【技術分野】
【０００１】
本発明は、動画再生装置に関し、特に早送り再生／巻き戻し再生時の音声再生技術に関する。
【背景技術】
【０００２】
従来から、映像データと音声データとからなる動画コンテンツを再生する、例えば、ハードディスクレコーダ等の動画再生装置が知られている。ハードディスクレコーダは、記録媒体であるハードディスクを内蔵し、このハードディスクに記録された動画コンテンツの映像データ及び音声データを読み取って映像信号及び音声信号を生成する。そして、生成した映像信号をテレビモニタに出力すると共に、音声信号をスピーカに出力することで、テレビモニタ上での映像の再生及びスピーカでの音声の再生を行う。
【０００３】
ハードディスクレコーダは、一般的に、動画コンテンツを早送り再生及び巻き戻し再生する機能を有しており、例えば、通常速度の２倍、４倍、又は２０倍等の速度で早送り再生及び巻き戻し再生を行うことができる。このとき、ハードディスクレコーダは、動画コンテンツの早送り速度又は巻き戻し速度に応じた早送り映像信号及び早送り音声信号、又は巻き戻し映像信号及び巻き戻し音声信号を生成し、これらの信号をテレビモニタ及びスピーカに出力している。ユーザは、一般的に、動画コンテンツの中で視聴したいシーンを探す際に、動画コンテンツを早送り再生又は巻き戻し再生することにより視聴したいシーンを探し出す。そのため、ユーザは、動画コンテンツの早送り映像及び早送り音声、又は巻き戻し映像及び巻き戻し音声を視聴することにより、視聴したいシーンを探さなければならない。しかし、ユーザにとって、早送り再生又は巻き戻し再生された音声は、聞き取りにくく、どの辺りの早送り再生又は巻き戻し再生を行っているのか判断することが困難である。そのため、ユーザは視聴したいシーンを素早く探し出せないという問題がある。
【０００４】
これに対して、例えば、早送り再生時に、音声信号の信号レベルが、予め設定されたしきい値を超えたか否かを判断し、しきい値を超えた有音部分を多く含む音声を再生する動画再生装置が知られている（例えば、特許文献１参照）。また、音声データを音声用サンプリングクロック発生部にて任意の速度に変更することにより、早送り再生時に映像の再生速度に合わせて音声を再生する動画再生装置が知られている（例えば、特許文献２参照）。しかし、上記特許文献１及び特許文献２に記載された発明では、早送り再生された音声が聞き取りにくく、上記問題を解決することができない。
【特許文献１】特開２００１−２０９３９５号公報
【特許文献２】特開２００１−２９１３４２号公報
【発明の開示】
【発明が解決しようとする課題】
【０００５】
本発明は、上述した問題点を解決するためになされたものであり、早送り再生及び巻き戻し再生時の音声を聞き取りやすくして、ユーザが視聴したい目的のシーンを素早く探し出すことができる動画再生装置を提供することを目的とする。
【課題を解決するための手段】
【０００６】
上記目的を達成するために請求項１の発明は、１つ以上の動画コンテンツの映像データと音声データとが記憶された記憶媒体から映像データと音声データとを読み取る読み取り手段と、前記読み取り手段が読み取った映像データ及び音声データを基に、モニタ装置で前記動画コンテンツの通常再生を行うための映像信号及び音声信号を生成する再生信号生成手段と、前記読み取り手段が読み取った映像データ及び音声データを基に、前記モニタ装置で前記動画コンテンツの早送り再生を行うための早送り映像信号を生成する早送り映像信号生成手段と、前記読み取り手段が読み取った映像データ及び音声データを基に、前記モニタ装置で前記動画コンテンツの巻き戻し再生を行うための巻き戻し映像信号を生成する巻き戻し映像信号生成手段と、通常再生、早送り再生、又は巻き戻し再生などの操作をするためにユーザにより操作される操作手段と、前記読み取り手段と、前記再生信号生成手段と、前記早送り映像信号生成手段と、前記巻き戻し映像信号生成手段と、前記操作手段とを制御する制御手段とを備える動画再生装置において、前記動画コンテンツの再生位置をマークするマーク位置設定手段と、前記マークの位置を一時的に記憶するマーク設定メモリとをさらに備え、前記制御手段は、前記操作手段を用いてユーザにより前記動画コンテンツの早送り再生操作が指示されたときに、前記早送り映像信号生成手段により早送り映像信号を生成して前記モニタ装置に出力すると共に、前記早送り再生操作の開始時における前記動画コンテンツの再生位置を前記マーク位置設定手段を用いてマークして、該マークの位置を前記マーク設定メモリに記憶し、このマークの位置から所定時間内の早送り区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、該マークの位置を前記マーク設定メモリに記憶し、このマークの位置から所定時間内の早送り区間内の音声信号のみを前記再生信号生成手段により生成させて前記モニタ装置に出力する処理を繰り返し、前記操作手段を用いてユーザにより前記動画コンテンツの巻き戻し再生操作が指示されたときに、前記巻き戻し映像信号生成手段により巻き戻し映像信号を生成して前記モニタ装置に出力すると共に、前記巻き戻し再生操作の終了時における前記動画コンテンツの再生位置を前記マーク位置設定手段を用いてマークして、該マークの位置を前記マーク設定メモリに記憶し、このマークの位置から所定時間内の巻き戻し区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、該マークの位置を前記マーク設定メモリに記憶し、このマークの位置から所定時間内の巻き戻し区間内の音声信号のみを前記再生信号生成手段により生成させて前記モニタ装置に出力する処理を繰り返すものである。
【０００７】
請求項２に記載の発明は、１つ以上の動画コンテンツの映像データと音声データとが記憶された記憶媒体から映像データと音声データとを読み取る読み取り手段と、前記読み取り手段が読み取った映像データ及び音声データを基に、モニタ装置で前記動画コンテンツの通常再生を行うための映像信号及び音声信号を生成する再生信号生成手段と、前記読み取り手段が読み取った映像データ及び音声データを基に、前記モニタ装置で前記動画コンテンツの早送り再生を行うための早送り映像信号を生成する早送り映像信号生成手段と、通常再生、早送り再生などの操作をするためにユーザにより操作される操作手段と、前記読み取り手段と、前記再生信号生成手段と、前記早送り映像信号生成手段と、前記操作手段とを制御する制御手段とを備える動画再生装置において、前記動画コンテンツの再生位置をマークするマーク位置設定手段をさらに備え、前記制御手段は、前記操作手段を用いてユーザにより前記動画コンテンツの早送り再生操作が指示されたときに、前記早送り映像信号生成手段により早送り映像信号を生成して前記モニタ装置に出力すると共に、前記早送り再生操作の開始時における前記動画コンテンツの再生位置を前記マーク位置設定手段を用いてマークして、このマークの位置から所定時間内の早送り区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、このマークの位置から所定時間内の早送り区間内の音声信号のみを前記再生信号生成手段により生成させて前記モニタ装置に出力する処理を繰り返すものである。
【０００８】
請求項３に記載の発明は、請求項２に記載の動画再生装置において、前記読み取り手段が読み取った映像データ及び音声データを基に、前記モニタ装置で前記動画の巻き戻し再生を行うための巻き戻し映像信号を生成する巻き戻し映像信号生成手段をさらに備え、前記制御手段は、前記操作手段を用いてユーザにより前記動画コンテンツの巻き戻し再生操作が指示されたときに、前記巻き戻し映像信号生成手段により巻き戻し映像信号を生成して前記モニタ装置に出力すると共に、前記巻き戻し再生操作の終了時における前記動画コンテンツの再生位置を前記マーク位置設定手段を用いてマークして、このマークの位置から所定時間内の巻き戻し区間内の音声信号のみを前記再生信号生成手段により生成させて前記モニタ装置に出力し、所定時間が経過する毎に、再度、その時点における前記動画コンテンツの再生位置を前記マーク位置設定手段を用いてマークして、このマークの位置から所定時間内の巻き戻し区間内の音声信号のみを前記再生信号生成手段により生成させて前記モニタ装置に出力する処理を繰り返すものである。
【発明の効果】
【０００９】
本発明によれば、動画コンテンツを早送り再生する際に、制御手段が、動画コンテンツの再生位置をマークし、このマークの位置から所定時間内の早送り区間内の通常速度の音声信号を生成する。また、動画コンテンツを巻き戻しする際に、制御手段が、巻き戻し操作の終了時における動画コンテンツの再生位置をマークし、このマークの位置から所定時間内の通常速度の音声信号を生成する。そのため、早送り再生及び巻き戻し再生時に再生される音声を通常速度で再生することができ、ユーザは音声を聞き取りやすく、どの辺りの早送り又は巻き戻しを行っているのか判断することが容易である。従ってユーザは視聴したい目的のシーンを素早く探し出せる可能性が高くなる。
【発明を実施するための最良の形態】
【００１０】
以下、本発明の一実施形態に係る動画再生システムについて、図１及び図２を参照して説明する。なお、以下に記載した実施形態は、本発明を網羅するものではなく、本発明は、下記の形態に限定されない。
【００１１】
図１は、動画コンテンツを記録・再生することができるハードディスクレコーダ１（動画再生装置）と、映像及び音声信号を伝送する伝送ケーブル３を介してハードディスクレコーダ１と接続されるモニタ装置２とから構成される動画再生システムの外観を示す。モニタ装置２は、ディスプレイ２ａ及びスピーカ２ｂを有しており、ハードディスクレコーダ１から出力された映像信号はディスプレイ２ａにて、音声信号はスピーカ２ｂにて再生される。
【００１２】
図２は、ハードディスクレコーダ１の内部構成を示す。ハードディスクレコーダ１は、映像データ及び音声データから成る動画コンテンツを１つ以上記録するハードディスク１４（ＨＤＤ）と、ハードディスク１４から映像データ及び音声データを読み取る読み取り部１５（読み取り手段）と、ハードディスクレコーダ１の各種の動作を操作する操作部１３と、各種データを一時的に記憶するメモリ部１２（マーク設定メモリ）と、ハードディスクレコーダ１全体の動作を制御するシステム制御部１１（制御手段）と、システム制御部１１の動作プログラムを格納するＲＯＭ１６と、伝送ケーブル３に映像信号及び音声信号を出力する出力部１７とを備えている。
【００１３】
システム制御部１１は、読み取り部１５が読み取った映像データ及び音声データを基に、ディスプレイ２ａ及びスピーカ２ｂで動画コンテンツの通常再生を行うための映像信号及び音声信号を生成する再生信号生成手段、読み取り部１５が読み取った映像データ及び音声データを基に、ディスプレイ２ａ及びスピーカ２ｂで動画コンテンツの早送り再生を行うための早送り映像信号を生成する早送り映像信号生成手段、読み取り部１５が読み取った映像データ及び音声データを基に、ディスプレイ２ａ及びスピーカ２ｂで動画コンテンツの巻き戻し再生を行うための巻き戻し映像信号を生成する巻き戻し映像信号生成手段、及び動画コンテンツの再生位置をマークするマーク位置設定手段として機能する。システム制御部１１は、再生信号生成手段、早送り映像信号生成手段、及び巻き戻し映像信号生成手段が生成した信号を出力部１７に出力し、また、マーク位置設定手段がマークした位置をメモリ部１２に一時的に記憶させる。
【００１４】
次に、動画コンテンツの早送り再生について図２及び図３を参照して説明する。図３は、ユーザが操作部１３を用いて動画コンテンツの早送り再生操作を指示したときのシステム制御部１１の処理を示す。ユーザが操作部１３を操作して動画コンテンツの早送り再生操作を指示すると、システム制御部１１は、読み取り部１５が読み取った映像データを基に、早送り映像信号を生成すると共に（Ｓ１）、動画コンテンツの再生位置をマークし、このマークの位置をメモリ部１２に記憶させる（Ｓ２）。システム制御部１１は、このマークの位置から所定時間内の早送り区間内の音声データのみを読み取り部１５により読み取って、この音声データに基いて、通常再生速度の音声信号を生成し（Ｓ３）、生成した通常再生速度の音声信号と早送り映像信号とを出力部１７に出力する（Ｓ４）。所定時間が経過すると（Ｓ５でＹＥＳ）、システム制御部１１は、再度、その時点における動画コンテンツの再生位置をマークし、上記Ｓ２以降の処理を繰り返す。所定時間が経過していない場合は（Ｓ５でＮＯ）、システム制御部１１は、Ｓ４の処理を引き続き行う。
【００１５】
次に、動画コンテンツの巻き戻し再生について図２及び図４を参照して説明する。図４は、ユーザが操作部１３を用いて動画コンテンツの巻き戻し再生操作を指示したときのシステム制御部１１の処理を示す。ユーザが操作部１３を操作して動画コンテンツの巻き戻し再生操作を指示したとき、システム制御部１１は、読み取り部１５が読み取った映像データを基に、巻き戻し映像信号を生成すると共に（Ｓ１１）、巻き戻し操作の終了時における動画コンテンツの再生位置をマークし、このマークの位置をメモリ部１２に記憶させる（Ｓ１２）。システム制御部１１は、このマークの位置から所定時間内の巻き戻し区間内の音声データのみを読み取り部１５により読み取って、この音声データに基いて通常再生速度の音声信号を生成し（Ｓ１３）、生成した通常再生速度の音声信号と巻き戻し映像信号とを出力部１７に出力する（Ｓ１４）。所定時間が経過すると（Ｓ１５でＹＥＳ）、システム制御部１１は、再度、その時点における動画コンテンツの再生位置をマークし、上記Ｓ１２以降の処理を繰り返す。所定時間が経過していない場合は（Ｓ１５でＮＯ）、システム制御部１１は、Ｓ１４の処理を引き続き行う。
【００１６】
次に、ハードディスクレコーダ１が早送り再生を行った場合の映像信号と音声信号の再生位置について、図５を参照して説明する。図５は、早送り再生速度が４倍速であり、かつ、音声信号を再生する所定時間が５秒間である条件の下で早送り再生を行った際の映像信号と音声信号の再生位置を示す。図５（ａ）は早送り開始から５秒後までの映像信号と音声信号の再生位置、（ｂ）は早送り開始５秒後から１０秒後までの映像信号と音声信号の再生位置、（ｃ）は早送り開始１０秒後から１５秒後まで映像信号と音声信号の再生位置を示す。
【００１７】
早送りの開始から５秒経過するまでの間は、音声信号については、再生位置が０秒後から５秒後までの間の音声信号を通常速度で再生し、映像信号については、再生位置が０秒後から２０秒後までの間の映像信号を早送り再生する。早送り開始後５秒経過の時点で映像信号の早送り再生位置は早送り開始から２０秒後の位置であるので、早送り開始後５秒後から１０秒後までの間は、音声信号については、再生位置が２０秒後から２５秒後までの間の音声信号を通常速度で再生し、映像信号については、再生位置が２０秒後から４０秒後までの間の映像信号を早送り再生する。そして、早送り開始後１０秒経過の時点で映像信号の早送り再生位置は早送り開始から４０秒後の位置であるので、早送り開始後１０秒後から１５秒後までの間は、音声信号については、再生位置が４０秒後から４５秒後までの間の音声信号を通常速度で再生し、映像信号については、再生位置が４０秒後から６０秒後までの間の映像信号を早送り再生する。なお、ここでは、早送り再生速度が４倍速であり、かつ、音声信号を再生する所定時間が５秒である場合の例を示したが、これに限られず、任意の早送り再生速度、及び任意の所定時間であってもよい。
【００１８】
上記のように、本実施形態に係るハードディスクレコーダ１によれば、動画コンテンツを早送り再生する際に、システム制御部１１が、動画コンテンツの再生位置をマークし、このマークの位置から所定時間内の早送り区間内の通常速度の音声信号を生成する。また、動画コンテンツを巻き戻しする際に、システム制御部１１が、巻き戻し操作の終了時における動画コンテンツの再生位置をマークし、このマークの位置から所定時間内の通常速度の音声信号を生成する。そのため、早送り再生及び巻き戻し再生時に再生される音声を通常速度で再生することができ、ユーザは音声を聞き取りやすく、どの辺りの早送り又は巻き戻しを行っているのか判断することが容易である。従ってユーザは視聴したい目的のシーンを素早く探し出せる可能性が高くなる。
【００１９】
なお、本発明は、上記実施形態の構成に限られず、発明の趣旨を変更しない範囲で種々の変形が可能である。例えば、上記実施形態では、システム制御部１１がマークの位置から所定時間内の早送り区分又は巻き戻し区分の音声信号のみを生成して、モニタ装置２に出力しているが、これに限られず、システム制御部は生成した全ての音声信号をメモリ部に一時的に格納した後、早送り映像信号を生成して、この早送り影像信号とメモリ部に格納された音声信号の一部とを出力部に出力してもよい。
【００２０】
また、上記実施形態では、ハードディスク１４に記録されている動画コンテンツを読み取り、読み取った映像データ及び音声データを基に、早送り再生及び巻き戻し再生を行う例を示したが、これに限られず、ＤＶＤやＣＤなどの記録媒体に記録されている動画コンテンツを読み取り、読み取った映像データ及び音声データを基に、早送り再生及び巻き戻し再生を行うものでもよい。
【図面の簡単な説明】
【００２１】
【図１】本発明の一実施形態に係るハードディスクレコーダと、このハードディスクレコーダに接続されたモニタ装置の外観を示す傾斜図。
【図２】上記動作再生装置の内部構成を示すブロック図。
【図３】上記動画再生装置の早送り再生処理を示すフローチャート。
【図４】上記動画再生装置の巻き戻し再生処理を示すフローチャート。
【図５】上記早送り処理時の映像信号及び音声信号の再生位置を示す説明図。
【符号の説明】
【００２２】
１  ハードディスクレコーダ（動画再生装置）
２  モニタ装置
１１  システム制御部（制御手段、再生信号生成手段、早送り映像信号生成手段、巻き戻し映像信号生成手段、マーク位置設定手段）
１２  メモリ部（マーク設定メモリ）
１３  操作部（操作手段）
１４  ＨＤＤ（記憶媒体）
１５  読み取り部（読み取り手段）
【図１】
2007150384.tif 000003
【図２】
2007150384.tif 000004
【図３】
2007150384.tif 000005
【図４】
2007150384.tif 000006
【図５】
2007150384.tif 000007